(57)【要約】【課題】上下の小口部に兼用でき、上側の小口部への取付状態では止水性を向上でき、また、下側の小口部への取付状態では排水性を向上できるキャップおよび建具を提供すること。【解決手段】キャップ５は、キャップ本体部５１と、小口部３５８（３５９）の外側に配置可能にキャップ本体部５１の周縁に形成される外片部５２と、外片部５２の内面に沿って形成された当接段部５４とを有する。当接段部５４は、キャップ本体部５１から間隔を隔てて配置される。キャップ本体部５１と外片部５２とによって形成される内部空間５５には、外部への排水経路が構成される。【選択図】図４
2017145587.tif 000002
【特許請求の範囲】
【請求項１】
建具の上下方向に沿った筒状体の上下の小口部に取り付けられるキャップであって、
キャップ本体部と、前記小口部の外側に配置可能に前記キャップ本体部の周縁から前記キャップの取付方向に沿って延出した外片部と、前記小口部の端面に当接可能に前記外片部の内面に沿って形成された当接段部とを有し、
前記当接段部は、前記キャップ本体部から間隔を隔てて配置され、
前記キャップ本体部と前記外片部とによって形成される内部空間には、外部への排水経路が構成される
ことを特徴とするキャップ。
【請求項２】
請求項１に記載のキャップにおいて、
前記キャップ本体部は、室外縁、室内縁および左右の側縁を有して平面視矩形状に形成され、
前記外片部は、前記室外縁および前記左右の側縁にわたって形成され、
前記キャップ本体部の内面には格子状のリブが形成され、
前記リブには、複数の排水スリットが形成され、
前記複数の排水スリットは、前記キャップ本体部の前記室外縁から前記室内縁に向かう方向に並んで配置される
ことを特徴とするキャップ。
【請求項３】
請求項１または請求項２に記載のキャップにおいて、
前記キャップ本体部は、室外縁、室内縁および左右の側縁を有して平面視矩形状に形成され、
前記外片部は、前記室外縁に連続する室外片部と、前記左右の側縁に連続する左右の側外片部とを有し、
前記左右の側外片部には、当該側外片部の内面から突出した係合突部がそれぞれ形成される
ことを特徴とするキャップ。
【請求項４】
請求項１から請求項３のいずれか一項に記載のキャップにおいて、
前記キャップ本体部は、室外縁、室内縁および左右の側縁を有して平面視矩形状に形成され、
前記外片部は、前記室外縁および前記左右の側縁にわたって形成され、
前記キャップ本体部の前記室内縁には、前記キャップの取付方向とは反対方向に突出する縦片部が形成される
ことを特徴とするキャップ。
【請求項５】
請求項４に記載のキャップにおいて、
前記縦片部の周縁部は室内側に突出し、
前記縦片部の裏面には係合爪部が形成される
ことを特徴とするキャップ。
【請求項６】
窓枠と、前記窓枠内に配置された外障子および内障子とを備え、
前記外障子は、上框、下框、戸先縦框および外召合せ縦框を組んで框内に面材を固定して構成され、
前記内障子は、上框、下框、戸先縦框および内召合せ縦框を組んで框内に面材を固定して構成され、
前記外召合せ縦框は、框本体部と、前記框本体部から室外側に張り出した張出し部とを有し、
前記張出し部は、上下方向に延びた筒状体として形成され、
前記張出し部の上側の小口部および下側の小口部には、請求項１から請求項５のいずれか一項に記載のキャップがそれぞれ取り付けられる
ことを特徴とする建具。
【発明の詳細な説明】
【技術分野】
【０００１】
本発明は、引き違い窓の外召合せ縦框などの上下の小口部を塞ぐキャップおよび建具に関する。
【背景技術】
【０００２】
従来、左右の縦枠の上下に横枠がそれぞれ組まれて構成されるサッシ枠が知られている（特許文献１参照）。横枠の端部が縦枠の側面に取り付けられる場合、縦枠の上下の小口部には蓋部材がそれぞれ取り付けられる。また、縦枠の内側面には、補強材が取り付けられている。
【０００３】
蓋部材は、縦枠の小口部の内部形状よりやや小さい平板部と、縦枠に密着固定するための取付部とを有している。平板部は、縦枠の小口部の内部形状よりもやや小さい相似形状に形成されている。取付部は、蓋部材のうち平板部よりも室内側部分が折り曲げられて形成されている。平板部の縁部には、縦枠の小口部における内側面に対向して位置する弾性止水材が設けられている。
【０００４】
この蓋部材は、取付部および平板部が縦枠の小口部に挿入され、かつ、弾性止水材が小口部に押圧されながら当接することによって、当該小口部の内側に蓋部材が取り付けられる。このサッシ枠では、蓋部材の弾性止水材を小口部に押圧して当接することによって当該小口部の止水性を向上している。
【先行技術文献】
【特許文献】
【０００５】
【特許文献１】特許第４３１３１２９号公報
【発明の概要】
【発明が解決しようとする課題】
【０００６】
ところで、特許文献１に記載のサッシ枠では、前述した蓋部材が縦枠の上側の小口部と下側の小口部とに兼用されている。各蓋部材は各小口部の内側に嵌め込まれる。
しかし、上側の小口部の内側と蓋部材との当接部分は外部に晒された状態となるため、この当接部分から上側の小口部の内部への雨水等の浸入が危惧される。雨水等が上側の小口部の内部に浸入した場合には、縦枠内の補強材が濡れて腐食等が生じるおそれがある。
一方、下側の小口部の内側には蓋部材の弾性止水材が当接した状態となるため、縦枠内に浸入した雨水等を下側の小口部から排水することが困難である。
【０００７】
本発明の目的は、上下の小口部に兼用でき、上側の小口部への取付状態では止水性を向上でき、また、下側の小口部への取付状態では排水性を向上できるキャップおよび建具を提供することにある。
【課題を解決するための手段】
【０００８】
本発明のキャップは、建具の上下方向に沿った筒状体の上下の小口部に取り付けられるキャップであって、キャップ本体部と、前記小口部の外側に配置可能に前記キャップ本体部の周縁から前記キャップの取付方向に沿って延出した外片部と、前記小口部の端面に当接可能に前記外片部の内面に沿って形成された当接段部とを有し、前記当接段部は、前記キャップ本体部から間隔を隔てて配置され、前記キャップ本体部と前記外片部とによって形成される内部空間には、外部への排水経路が構成されることを特徴とする。
【０００９】
本発明のキャップによれば、建具の縦枠や框の室外側への張出し部などで構成される筒状体の上側の小口部および下側の小口部のいずれにも取り付けることができる。ここで、キャップの取付方向は、キャップを上側の小口部に取り付ける場合には下方向となり、キャップを下側の小口部に取り付ける場合には上方向となる。
キャップを上側の小口部に取り付ける場合には、キャップ本体部が小口部の端面を覆って配置されるとともに、キャップ本体部の周縁に形成された外片部が小口部の外側を覆って配置される。これにより、キャップは上側の小口部に覆いかぶさった状態となり、小口部の内側が外部に晒されることがない。従って、上側の小口部の内部に雨水等が浸入する可能性を低減でき、止水性を向上できる。
また、キャップを下側の小口部に取り付ける場合には、キャップは前述した上側の小口部に取り付ける場合とは上下逆向きに配置される。キャップ本体部は小口部の端面を覆って配置されるとともに、キャップ本体部の周縁に形成された外片部は小口部の外側を覆って配置される。これにより、キャップは下側の小口部に覆いかぶさった状態となる。この場合、外片部が小口部よりも外側に配置されるため、外片部と小口部との間から雨水等がキャップの内部空間に浸入するおそれがある。しかし、当接段部が小口部の端面に当接することによって当該小口部の端面とキャップ本体部との間にクリアランスが形成されるので、当該小口部の端面よりも下側に外部への排水経路を配置でき、当該排水経路を通じて浸入した雨水等を排水でき、下側の小口部の内部に雨水等が溜まることを抑制できる。
【００１０】
本発明のキャップでは、前記キャップ本体部は、室外縁、室内縁および左右の側縁を有して平面視矩形状に形成され、前記外片部は、前記室外縁および前記左右の側縁にわたって形成され、前記キャップ本体部の内面には格子状のリブが形成され、前記リブには、複数の排水スリットが形成され、前記複数の排水スリットは、前記キャップ本体部の前記室外縁から前記室内縁に向かう方向に並んで配置されることが好ましい。
このような構成によれば、キャップ本体部に格子状のリブを形成することで、キャップの剛性を向上できる。さらに、キャップ本体部の室外縁から室内縁に向かう方向に並んで配置される複数の排水スリットをリブに形成することで、キャップ本体部の室外縁側から室内縁側への排水経路を構成でき、前述した外片部が形成されていないキャップ本体部の室内縁側から外部へ排水できる。
【００１１】
本発明のキャップでは、前記キャップ本体部は、室外縁、室内縁および左右の側縁を有して平面視矩形状に形成され、前記外片部は、前記室外縁に連続する室外片部と、前記左右の側縁に連続する左右の側外片部とを有し、前記左右の側外片部には、当該側外片部の内面から突出した係合突部がそれぞれ形成されることが好ましい。
このような構成によれば、左右の側外片部に形成された係合突部が建具の小口部に形成された係合穴に係合することによって、キャップが当該小口部から外れることを抑制できる。
【００１２】
本発明のキャップでは、前記キャップ本体部は、室外縁、室内縁および左右の側縁を有して平面視矩形状に形成され、前記外片部は、前記室外縁および前記左右の側縁にわたって形成され、前記キャップ本体部の前記室内縁には、前記キャップの取付方向とは反対方向に突出する縦片部が形成されることが好ましい。
このような構成によれば、例えば、建具が窓枠および障子を備え、障子が外召合せ縦框を備え、上下の小口部が形成された筒状体である張出し部が外召合せ縦框の室外見付け片部に形成されている場合、張出し部の上側の小口部にキャップを取り付けることで、当該小口部よりも上側に位置する外召合せ縦框の室外見付け片部に沿って縦片部を配置できる。また、張出し部の下側の小口部にキャップを取り付けることで、当該小口部よりも下側に位置する外召合せ縦框の室外見付け片部に沿って縦片部を配置できる。これにより、外召合せ縦框の室外見付け片部の上下の端部におけるバリ取り跡などを、キャップの縦片部によって目隠しできる。
【００１３】
本発明のキャップでは、前記縦片部の周縁部は室内側に突出し、前記縦片部の裏面には係合爪部が形成されることが好ましい。
このような構成によれば、縦片部の係合爪部が建具の室外見付け片部に形成された係合穴に係合することで、縦片部が、前述した外召合せ縦框の室外見付け片部から離間してめくれることを抑制できる。
また、縦片部の周縁部が外召合せ縦框の室外見付け片部に当接することで、当該縦片部の裏面と室外見付け片部との間に隙間を形成できる。このため、キャップが下側の小口部に取り付けられる場合には、キャップの内部空間に浸入した雨水等が室外見付け片部をつたうことなく、縦片部の裏面をつたって外部へ排水できる。
【００１４】
本発明の建具は、窓枠と、前記窓枠内に配置された外障子および内障子とを備え、前記外障子は、上框、下框、戸先縦框および外召合せ縦框を組んで框内に面材を固定して構成され、前記内障子は、上框、下框、戸先縦框および内召合せ縦框を組んで框内に面材を固定して構成され、前記外召合せ縦框は、框本体部と、前記框本体部から室外側に張り出した張出し部とを有し、前記張出し部は、上下方向に延びた筒状体として形成され、前記張出し部の上側の小口部および下側の小口部には、前述した本発明のキャップがそれぞれ取り付けられることを特徴とする。
本発明の建具によれば、前述した本発明のキャップと同様の効果を発揮できる建具を構成できる。
【発明の効果】
【００１５】
本発明によれば、上下の小口部に兼用でき、上側の小口部への取付状態では止水性を向上でき、また、下側の小口部への取付状態では排水性を向上できるキャップおよび建具を提供できる。
【図面の簡単な説明】
【００１６】
【図１】本発明の実施形態に係る引き違い窓を示す外観姿図。
【図２】図１のＩＩ−ＩＩ線に沿って示す縦断面図。
【図３】図１のＩＩＩ−ＩＩＩ線に沿って示す横断面図。
【図４】前記実施形態に係る引き違い窓の要部を分解して示す斜視図。
【図５】前記実施形態に係る引き違い窓のキャップを示す説明図。
【発明を実施するための形態】
【００１７】
［本実施形態の構成］
以下、本発明の実施形態を図面に基づいて説明する。
図１〜３において、本実施形態に係る建具である引き違い窓１は、上枠２１、下枠２２および左右の縦枠２３，２４を組んで構成した窓枠２と、図１において左右方向にスライド可能に窓枠２内に配置された外障子３および内障子４とを備えている。
上枠２１、下枠２２および左右の縦枠２３，２４は同一断面形状の樹脂製枠材によってそれぞれ構成されている。
【００１８】
［外障子］
外障子３は、上框３１、下框３２、戸先縦框３３および外召合せ縦框３４を組んだ框内に面材３５を固定して構成されている。上框３１、下框３２、戸先縦框３３および外召合せ縦框３４は、樹脂製框材によってそれぞれ構成されている。上框３１、下框３２および戸先縦框３３は同一断面形状に形成されている。面材３５は、本実施形態では複層のガラスパネルによって形成されている。
【００１９】
［内障子］
内障子４は、上框４１、下框４２、戸先縦框４３および内召合せ縦框４４を組んだ框内に面材４５を固定して構成されている。上框４１、下框４２、戸先縦框４３および内召合せ縦框４４は、樹脂製框材によって形成されている。上框４１、下框４２および戸先縦框４３は同一断面形状に形成されている。面材４５は、本実施形態では複層のガラスパネルによって形成されている。
内召合せ縦框４４は、上下方向に延びた角筒状部４４１の内部に中空部４４２を有して構成されている。角筒状部４４１の室外見付け片部には気密材１１が取り付けられている。角筒状部４４１の内側見込み片部には、当該角筒状部４４１の室内見付け片部と係合溝を形成する突部が形成されており、当該係合溝には押縁１２が係合する。面材４５の召合せ側の縦縁部は角筒状部４４１に取り付けられた気密材１１および押縁１２によって保持されている。
角筒状部４４１の室外見付け片部には、引き違い窓１の閉鎖状態で外召合せ縦框３４の係合部３４４と係合する係合部４４４が設けられている。
【００２０】
［外召合せ縦框］
外召合せ縦框３４は、図３，４に示すように、角筒状の框本体部３４１と、框本体部３４１から室外側に張り出した張出し部３５１とを有している。
框本体部３４１は、図３に示すように、中空部３４２を有して上下方向に延びて形成されている。框本体部３４１の室外見付け片部３４１Ａには気密材１１が取り付けられている。框本体部３４１の内側見込み片部には、当該框本体部３４１の室内見付け片部と係合溝を形成する突部が形成されており、当該係合溝には押縁１２が係合する。面材３５の召合せ側の縦縁部は框本体部３４１に取り付けられた気密材１１および押縁１２によって保持されている。
框本体部３４１の室内見付け片部には、引き違い窓１の閉鎖状態で内召合せ縦框４４の係合部４４４に係合する係合部３４４が設けられている。中空部３４２には、断面コ字状の金属製の補強材３４５が配置されている。補強材３４５は框本体部３４１にねじ止めされている。
【００２１】
張出し部３５１は、図３に示すように、室外片部３５２および左右の側片部３５４，３５５を有し、框本体部３４１の室外見付け片部３４１Ａを兼用している。室外片部３５２の両端は側片部３５４，３５５に連続しており、側片部３５４，３５５は框本体部３４１の室外見付け片部３４１Ａに連続している。張出し部３５１は、室外片部３５２、側片部３５４，３５５および室外見付け片部３４１Ａによって断面矩形状に形成されている。室外片部３５２、左右の側片部３５４，３５５および室外見付け片部３４１Ａは、中空部３５６を形成している。中空部３５６には、断面コ字状の金属製の補強材３５７が配置されている。補強材３５７は、室外見付け片部３４１Ａを介して框本体部３４１側の補強材３４５にねじ止めされている。
外召合せ縦框３４のうち張出し部３５１の上下の端部は切断されている。このため、張出し部３５１の上下方向の長さ寸法は、図２に示すように、框本体部３４１の上下方向の長さ寸法よりも短く設定されている。張出し部３５１よりも上方位置および下方位置では、框本体部３４１の室外見付け片部３４１Ａが室外側に露出している。当該露出している室外見付け片部３４１Ａには、後述するキャップ５の係合爪部５３１が係合可能な係合穴３４６が形成されている。補強材３５７の上下方向の長さ寸法は、張出し部３５１の上下方向の長さ寸法よりも短く設定されている。
【００２２】
［キャップ］
図２に示すように、張出し部３５１の上側の小口部３５８にはキャップ５Ａが取り付けられており、下側の小口部３５９にはキャップ５Ｂが取り付けられている。キャップ５Ａ，５Ｂは、同一部品であるキャップ５によってそれぞれ構成されている。
ここで、小口部３５８は、張出し部３５１の上側の端面と、張出し部３５１の室外片部３５２および側片部３５４，３５５のうちキャップ５Ａに覆われる上側部分とを含む概念である。また、小口部３５９は、張出し部３５１の下側の端面と、張出し部３５１の室外片部３５２および側片部３５４，３５５のうちキャップ５Ｂに覆われる下側部分とを含む概念である。小口部３５８，３５９の各端面は水平面に沿って形成されている。また、小口部３５８，３５９を構成している側片部３５４，３５５の上部、下部には、後述する係合突部５２５が係合可能な係合穴３６０がそれぞれ形成されている。
【００２３】
キャップ５は、図４，５に示すように、キャップ本体部５１と、外片部５２と、縦片部５３と、当接段部５４とを有しており、キャップ本体部５１と外片部５２とによって形成される内部空間５５には、室外側の外部への排水経路６０が構成されている。
【００２４】
キャップ本体部５１は、板状であって平面視矩形状に形成されており、室外縁５１１、室内縁５１２および左右の側縁５１３，５１４を有している。キャップ本体部５１は、小口部３５８（３５９）の端面全体を覆う程度の大きさを有して構成されている。
【００２５】
外片部５２は、キャップ本体部５１の周縁（本実施形態では室外縁５１１および左右の側縁５１３，５１４）からキャップ５の取付方向に延出して形成されている。ここで、キャップ５Ａの取付方向は小口部３５８に向かう下方向となり、キャップ５Ｂの取付方向は小口部３５９に向かう上方向となる。外片部５２は、室外縁５１１に連続する室外片部５２１と、左右の側縁５１３，５１４に連続する左右の側外片部５２３，５２４とを有している。室外片部５２１の左右の端部には側外片部５２３，５２４がそれぞれ連続している。室外片部５２１および側外片部５２３，５２４によって構成される外片部５２は、キャップ本体部５１の室外縁５１１および側縁５１３，５１４にわたって形成されている。
側外片部５２３，５２４の内面のうち室内側寄りの部分には、前述した係合穴３６０に係合している丸型の係合突部５２５がそれぞれ突出して形成されている。
【００２６】
縦片部５３は、キャップ本体部５１の周縁のうち室内縁５１２に連続して形成されている。縦片部５３は、室内縁５１２からキャップ５の取付方向とは反対方向に突出している。上側の小口部３５８に取り付けられるキャップ５Ａの縦片部５３は室内縁５１２から上方に突出して位置する。下側の小口部３５９に取り付けられるキャップ５Ｂの縦片部５３は室内縁５１２から下方に突出して位置する。
縦片部５３の周縁部５３２は室内側に突出して形成されている。縦片部５３の裏面５３３には、框本体部３４１の室外見付け片部３４１Ａの係合穴３４６に係合する鉤状の係合爪部５３１が形成されている。係合爪部５３１が係合穴３４６に係合した状態では、周縁部５３２は外召合せ縦框３４の室外見付け片部３４１Ａに当接し、縦片部５３の裏面５３３は室外見付け片部３４１Ａとの間に隙間を隔てて配置される。
【００２７】
当接段部５４は、側外片部５２３，５２４の内面に沿って形成されている。ここで、板状のキャップ本体部５１は水平方向に対して傾斜しており、室外縁５１１側よりも室内縁５１２側で当接段部５４から上下方向の間隔を隔てて配置されている。
【００２８】
キャップ本体部５１の内面には、図５（Ｃ）において前後方向（室内外方向）に延びる複数の第一リブ５６１と、左右方向に延びる複数の第二リブ５６２とによって構成される格子状のリブ５６が形成されている。複数の第一リブ５６１の室外端は室外片部５２１に連続している。複数の第二リブ５６２の両端は側外片部５２３，５２４の内面に沿って位置する各当接段部５４にそれぞれ連続している。
【００２９】
複数の第二リブ５６２には、複数の排水スリット５７が形成されている。各排水スリット５７は、左右方向において複数の第一リブ５６１の中間位置にそれぞれ配置されている。また、各排水スリット５７は、キャップ本体部５１の室外縁５１１から室内縁５１２に向かう前後方向に並んでそれぞれ配置されている。
【００３０】
キャップ５Ａの上側の小口部３５８への取付状態では、当接段部５４は小口部３５８の端面に当接しており、キャップ本体部５１は、小口部３５８の端面に対して傾斜して配置されており、室内縁５１２側が室外縁５１１側よりも上方に位置している。このキャップ本体部５１は、小口部３５８の端面全体を覆って配置されている。外片部５２は小口部３５８の外側（小口部３５８を構成する張出し部３５１の上部外周部分）に当接して配置されている。縦片部５３は、小口部３５８よりも上方に位置しており、室外見付け片部３４１Ａを室外側から覆って配置されている。
なお、上側の小口部３５８内にはブロック状の止水材１３が配置されている。
【００３１】
キャップ５Ｂの下側の小口部３５９への取付状態では、当接段部５４は小口部３５９の端面に当接しており、キャップ本体部５１は、小口部３５９の端面に対して傾斜して配置されており、室内縁５１２側が室外縁５１１側よりも下方に位置している。このキャップ本体部５１は、小口部３５９の端面全体を覆って配置されている。外片部５２は小口部３５９の外側（小口部３５９を構成する張出し部３５１の下部外周部分）に当接して配置されている。縦片部５３は、小口部３５９よりも下方に位置しており、室外見付け片部３４１Ａを室外側から覆って配置されている。
キャップ５Ｂでは、キャップ本体部５１と外片部５２とによって形成される内部空間５５から室外側の外部への排水経路６０が構成されている。排水経路６０は、内部空間５５では複数の排水スリット５７によって構成されており、内部空間５５外では縦片部５３の裏面５３３によって構成されている。
【００３２】
［本実施形態の作用］
以下、本実施形態に係る引き違い窓１のキャップ５（５Ａ，５Ｂ）による止水、排水に関する作用について説明する。
キャップ５Ａは、前述した通り、外召合せ縦框３４の張出し部３５１の上側の小口部３５８に取り付けられている。
雨天時、張出し部３５１には雨水があたるが、外片部５２の小口部３５８の外周部分を覆っているため、小口部３５８の内部に雨水は浸入せず、張出し部３５１の外面に沿って流れ落ちる。このように、キャップ５Ａは止水性能を発揮する。
【００３３】
キャップ５Ｂは、前述した通り、外召合せ縦框３４の張出し部３５１の下側の小口部３５９に取り付けられている。
雨天時、張出し部３５１の外面に沿って流れ落ちる雨水が、キャップ５Ｂの外片部５２と下側の小口部３５９の外側部分との間からキャップ５Ｂの内部空間５５に浸入する場合がある。
雨水が内部空間５５に浸入すると、当該雨水はキャップ本体部５１の内面まで流れ落ちる。ここで、キャップ５Ｂのキャップ本体部５１は、室内縁５１２側が室外縁５１１側よりも下方に位置するように傾斜しているので、雨水は、キャップ本体部５１に沿って室外縁５１１側から室内縁５１２側に流れ、複数の排水スリット５７を通じて内部空間５５から室内側に流れ出る。続いて、雨水は縦片部５３の裏面５３３をつたって流れ落ち、縦片部５３の周縁部５３２と外召合せ縦框３４の室外見付け片部３４１Ａとの微小な隙間から排水される。このように、内部空間５５に浸入した雨水は排水経路６０を通って室外側の外部に排水される。
なお、仮に張出し部３５１の内面をつたって流れ落ちる雨水があったとしても、上記同様に、当該雨水はキャップ本体部５１の内面まで流れ落ち、排水経路６０を通って室外側の外部に排水される。
【００３４】
［本実施形態の効果］
（１）本実施形態では、キャップ５は、外召合せ縦框３４の張出し部３５１の上下の小口部３５８，３５９に取り付けられるキャップ５Ａ，５Ｂであって、キャップ本体部５１と、小口部３５８（３５９）の外側に配置可能にキャップ本体部５１の周縁である室外縁５１１および左右の側縁５１３，５１４からキャップ５の取付方向に沿って延出した外片部５２と、外片部５２の内面のうちキャップ本体部５１から間隔を隔てた部分に形成された当接段部５４とを有し、キャップ本体部５１と外片部５２とによって形成される内部空間５５には、外部への排水経路６０が構成される。
上記構成を有するため、外召合せ縦框３４の張出し部３５１の上側の小口部３５８および下側の小口部３５９のいずれにも取り付けることができる。
キャップ５Ａを上側の小口部３５８に取り付ける場合には、キャップ本体部５１が小口部３５８の端面を覆って配置されるとともに、外片部５２が小口部３５８の外側を覆って配置される。これにより、キャップ５Ａは上側の小口部３５８に覆いかぶさった状態となり、小口部３５８の内側が外部に晒されることがない。従って、上側の小口部３５８の内部に雨水が浸入する可能性を低減でき、止水性を向上できる。
キャップ５Ｂを下側の小口部３５９に取り付ける場合には、上側の小口部３５８に取り付けるキャップ５Ａとは上下逆向きに配置される。キャップ５Ｂのキャップ本体部５１は小口部３５９の端面を覆って配置され、キャップ５Ｂの外片部５２は小口部３５９の外側を覆って配置される。これにより、キャップ５Ｂは下側の小口部３５９に覆いかぶさった状態となる。この場合、外片部５２が小口部３５９よりも外側に配置されるため、外片部５２と小口部３５９との間から雨水がキャップ５Ｂの内部空間５５に浸入するおそれがある。しかし、当接段部５４が小口部３５９の端面に当接することによって当該小口部３５９の端面とキャップ本体部５１との間にクリアランスが形成されるので、当該小口部３５９の端面よりも下側に外部への排水経路６０を配置でき、当該排水経路６０を通じて浸入した雨水を排水でき、下側の小口部３５９の内部に雨水が溜まることを抑制できる。
さらに、本実施形態では、以下の各効果を発揮できる。
（２）キャップ本体部５１は、室外縁５１１、室内縁５１２および左右の側縁５１３，５１４を有して平面視矩形状に形成され、外片部５２は、室外縁５１１および左右の側縁５１３，５１４にわたって形成され、キャップ本体部５１の内面には格子状のリブ５６が形成され、リブ５６には、複数の排水スリット５７が形成され、複数の排水スリット５７は、キャップ本体部５１の室外縁５１１から室内縁５１２に向かう方向に並んで配置される。
このため、リブ５６によってキャップ５の剛性を向上できる。さらに、キャップ本体部５１の室外縁５１１から室内縁５１２に向かう方向に並んで配置される複数の排水スリット５７をリブ５６に形成することで、キャップ本体部５１の室外縁５１１側から室内縁５１２側への排水経路６０を構成でき、外片部５２が形成されていないキャップ本体部５１の室内縁５１２側から外部へ排水できる。
（３）外片部５２は、室外縁５１１に連続する室外片部５２１と、左右の側縁５１３，５１４に連続する左右の側外片部５２３，５２４とを有し、左右の側外片部５２３，５２４には、当該側外片部５２３，５２４の内面から突出した係合突部５２５がそれぞれ形成される。
このため、左右の側外片部５２３，５２４に形成された係合突部５２５が小口部３５８（３５９）の係合穴３６０に係合することによって、キャップ５が小口部３５８（３５９）から外れることを抑制できる。
（４）キャップ本体部５１は、室外縁５１１、室内縁５１２および左右の側縁５１３，５１４を有して平面視矩形状に形成され、外片部５２は、室外縁５１１および左右の側縁５１３，５１４にわたって形成され、キャップ本体部５１の室内縁５１２には、キャップ５の取付方向とは反対方向に突出する縦片部５３が形成される。
このため、張出し部３５１の上側の小口部３５８にキャップ５Ａを取り付けることで、小口部３５８よりも上側に位置する外召合せ縦框３４の室外見付け片部３４１Ａに沿って縦片部５３を配置できる。また、張出し部３５１の下側の小口部３５９にキャップ５Ｂを取り付けることで、小口部３５９よりも下側に位置する外召合せ縦框３４の室外見付け片部３４１Ａに沿って縦片部５３を配置できる。これにより、外召合せ縦框３４の室外見付け片部３４１Ａの上下の端部におけるバリ取り跡などを、キャップ５の縦片部５３によって目隠しできる。
（５）縦片部５３の周縁部５３２は室内側に突出し、縦片部５３の裏面５３３には係合爪部５３１が形成される。
このため、縦片部５３の係合爪部５３１が外召合せ縦框３４の室外見付け片部３４１Ａに形成された係合穴３４６に係合することで、縦片部５３が、外召合せ縦框３４の室外見付け片部３４１Ａから離間してめくれることを抑制できる。
また、縦片部５３の周縁部５３２が外召合せ縦框３４の室外見付け片部３４１Ａに当接することで、当該縦片部５３の裏面５３３と室外見付け片部３４１Ａとの間に隙間を形成できる。このため、キャップ５Ｂが下側の小口部３５９に取り付けられる場合には、キャップ５Ｂの内部空間に浸入した雨水が室外見付け片部３４１Ａをつたうことなく、縦片部５３の裏面５３３をつたって外部へ排水できる。
（６）外召合せ縦框３４には張出し部３５１が形成され、この張出し部３５１の中空部３５６には補強材３５７が配置されている。このため、引き違い窓１の召合せ部の剛性を向上でき、内召合せ縦框４４に室内側への中空の張出し部を形成してその内部に補強材を配置する必要をなくすことができ、内召合せ縦框４４の室外面をフラットに形成できて意匠性を向上できる。
【００３５】
［変形例］
本発明は、以上の実施形態で説明した構成のものに限定されず、本発明の目的を達成できる範囲での変形例は、本発明に含まれる。
例えば、前記実施形態では、キャップ本体部５１は、平面視矩形状に形成されているが、これに限られず、小口部３５８（３５９）に対応した形状であればよい。キャップ本体部５１は、例えば三角形、六角形などの平面視多角形状であってもよく、また、平面視半円形状であってもよい。
【００３６】
前記実施形態では、キャップ本体部５１の内面に格子状のリブ５６が形成されているが、これに限られない。例えば、キャップ本体部５１の内面には、第一リブ５６１が形成されて第二リブ５６２の構成が省略されてもよく、また、第二リブ５６２が形成されて第一リブ５６１の構成が省略されてもよい。また、リブ５６の構成自体がキャップ本体部５１の内面から省略されてもよい。
【００３７】
前記実施形態では、係合突部５２５は、外片部５２の側外片部５２３，５２４のうち室内縁５１２寄りの部分に形成されているが、これに限られない。例えば、係合突部５２５は、側外片部５２３，５２４の室外縁５１１寄りの部分に形成されてもよく、また、室外縁５１１および室内縁５１２の中間部分に形成されてもよい。
また、係合突部５２５は、係合穴３６０に引っ掛けられる形状であればよく、丸型のほか四角形状等の多角形状であってもよい。
【００３８】
前記実施形態では、キャップ５の縦片部５３には、係合爪部５３１が形成されているが、この係合爪部５３１の構成を省略してもよい。
また、前記実施形態では、キャップ５は、外召合せ縦框３４の室外見付け片部３４１Ａを覆う縦片部５３を有しているが、この縦片部５３の構成を省略してもよい。この場合、張出し部３５１の小口部３５８，３５９のみならず、縦枠２３，２４の小口部などにも取り付けることができる。
【００３９】
前記実施形態では、キャップ本体部５１は、水平方向に対して傾斜しているが、これに限られず、水平方向に沿って配置されてもよい。
【００４０】
前記実施形態では、建具として引き違い窓１を説明したが、このほか、外障子３に代えて、窓枠２内に面材が固定されることによって構成される固定窓を備える片引き窓によって建具が構成されてもよい。
【符号の説明】
【００４１】
１…引き違い窓（建具）、１１…気密材、１２…押縁、１３…止水材、２…窓枠、２１…上枠、２２…下枠、２３，２４…縦枠、３…外障子、３１，４１…上框、３２，４２…下框、３３，４３…戸先縦框、３４…外召合せ縦框、３４１…框本体部、３４１Ａ…室外見付け片部、３４２，３５６，４４２…中空部、３４４，４４４…係合部、３４５，３５７…補強材、３５，４５…面材、３５１…張出し部、３５２…室外片部、３５４…側片部、３５５…側片部、３５８，３５９…小口部、３４６，３６０…係合穴、４…内障子、４４…内召合せ縦框、４４１…角筒状部、５（５Ａ，５Ｂ）…キャップ、５１…キャップ本体部、５１１…室外縁、５１２…室内縁、５１３，５１４…側縁、５２…外片部、５２１…室外片部、５２３，５２４…側外片部、５２５…係合突部、５３…縦片部、５３１…係合爪部、５３２…周縁部、５３３…裏面、５４…当接段部、５５…内部空間、５６…リブ、５６１…第一リブ、５６２…第二リブ、５７…排水スリット、６０…排水経路。
【図１】
2017145587.tif 000003
【図２】
2017145587.tif 000004
【図３】
2017145587.tif 000005
【図４】
2017145587.tif 000006
【図５】
2017145587.tif 000007